(57)【要約】      （修正有）【課題】監視センタ員を拘束することなく、また機密性を損なわずにエレベーターのトランク室の解錠・施錠を行わせる。【解決手段】暗証番号記憶部３７には、トランク室の利用申請に応じてトランク錠の管理者により設定された暗証情報が事前に記憶されている。エレベーター制御盤２１は、トランク室利用者によりかご操作盤２３から暗証情報が入力されると、その入力暗証情報と、記憶されている暗証情報とを照合する照合部３３と、各暗証番号が一致した場合にトランク解錠・施錠装置に解錠又は施錠させる解錠・施錠部３９を有している。また、トランク室の利用終了時に施錠が確認されると、各記憶部３７，３８に記憶された暗証番号を消去する消去部３４を有している。【選択図】図２
2008273732.tif 000002
【特許請求の範囲】
【請求項１】
エレベーターのかご室拡張用のトランク室に取り付けられたトランク錠の管理者により設定された暗証情報を記憶する暗証情報記憶手段と、
前記トランク錠の開閉を行うことで解錠・施錠を行うトランク錠開閉機構と、
トランク室の利用者により解錠又は施錠のために入力された暗証情報を受け付ける受付手段と、
前記暗証情報記憶手段に記憶された暗証情報と、前記受付手段により受け付けられた入力暗証情報と、を照合する照合手段と、
前記照合手段による照合の結果、入力暗証情報の正当性が確認された場合に前記トランク錠開閉機構に解錠又は施錠させる制御手段と、
前記トランク錠開閉機構により施錠された場合に前記暗証情報記憶手段に記憶されている暗証情報を消去する消去手段と、
を有することを特徴とするエレベータートランク錠制御装置。
【請求項２】
請求項１記載のエレベータートランク錠装置において、
前記トランク錠開閉機構により解錠されてから所定時間経過しても施錠されていない場合にトランク錠管理者へ通報する通報手段を有することを特徴とするエレベータートランク錠制御装置。
【請求項３】
エレベーターのかご室拡張用のトランク室に取り付けられたトランク錠の開閉を行うことで解錠・施錠を行うトランク錠開閉機構の制御を行う制御装置により実施され、
トランク錠の管理者により設定された暗証情報を受信し暗証情報記憶手段に登録する暗証情報取得ステップと、
トランク室の利用者により解錠のために入力された暗証情報を受け付ける第１の受付ステップと、
前記暗証情報記憶手段に記憶された暗証情報と、前記第１の受付ステップにより受け付けられた入力暗証情報と、を照合する第１の照合ステップと、
前記第１の照合ステップにより入力暗証情報の正当性が確認された場合に、前記トランク錠開閉機構に解錠させる解錠ステップと、
トランク室の利用者により施錠のために入力された暗証情報を受け付ける第２の受付ステップと、
前記暗証情報記憶手段に記憶された暗証情報と、前記第２の受付ステップにより受け付けられた入力暗証情報と、を照合する第２の照合ステップと、
前記第２の照合ステップにより入力暗証情報の正当性が確認された場合に、前記トランク錠開閉機構に施錠させる施錠ステップと、
施錠された場合に前記暗証情報記憶手段に記憶されている暗証情報を消去する消去ステップと、
を含むことを特徴とするエレベータートランク室解錠・施錠制御方法。
【請求項４】
錠が付けられたトランク室付きエレベーターを遠隔監視する監視センタに設置され、トランク室の利用申請に応じてトランク錠の管理者により設定された暗証情報を前記エレベーターが設置された建造物側へ送信する暗証情報送信手段と、
前記建造物側には、
前記トランク錠の開閉を行うことで解錠・施錠を行うトランク錠開閉機構と、
前記遠隔監視装置から送られてくる暗証情報を受信し、暗証情報記憶手段に登録する暗証情報受信手段と、
前記エレベーターのかご室内に設けられたかご操作盤からトランク室利用者により入力された暗証情報を受け付ける受付手段と、
前記暗証情報記憶手段に記憶された暗証情報と、前記受付手段により受け付けられた入力暗証情報と、を照合する照合手段と、
前記照合手段による照合の結果、入力暗証情報の正当性が確認された場合に前記トランク錠開閉機構に解錠又は施錠させる制御手段と、
前記トランク錠開閉機構により施錠された場合に前記暗証情報記憶手段に記憶されている暗証情報を消去する消去手段と、
を有することを特徴とするエレベータートランク室解錠・施錠制御システム。
【発明の詳細な説明】
【技術分野】
【０００１】
本発明は、エレベーターのかご室拡張用のトランク室に取り付けられたトランク錠解錠・施錠に関する。
【背景技術】
【０００２】
従来から、集合住宅や病院等に設置されるエレベーターのかご室には、担架、棺桶、自転車等の大きな荷物を載せるためにトランク室が併設されている。トランク室の扉に設けられた錠（以下、「トランク錠」）は電気錠であり、エレベーターの監視センタによる監視のもとに解錠・施錠が可能になる。
【０００３】
トランク室は、利用されないエレベーターの通常運行時には、悪戯や事故防止等のために施錠されており、申請により利用可能になる。ただ、利用可能となったとしても、トランク室の利用者がかご室内にいないときに監視センタ側から一方的に解錠又は施錠を行うと、不正に利用されたり、あるいは子供やペットを閉じこめたりするなどして事故が発生する可能性が生じてくる。
【０００４】
このため、従来においては、トランク室の利用を許可された者がかご室内で待機し、そして監視センタ側からの指示に従い所定の操作を行うことでトランク室を解錠又は施錠できるようにする技術が提案されている（例えば、特許文献１）。
【０００５】
【特許文献１】特開２００５−３２０１３５号公報
【発明の開示】
【発明が解決しようとする課題】
【０００６】
しかしながら、従来においては、監視センタ側にいるトランク錠の管理者（監視センタ員）及びトランク室利用者の双方が揃ってはじめて解錠又は施錠を行うことができるので、監視センタ員は、トランク室利用者と応答するために、トランク室が利用されている間、拘束されることになる。
【０００７】
また、予め設定されているトランク室解錠・施錠用の暗証番号をトランク室利用者に知らせておき、トランク室利用開始に知らせた暗証番号をトランク室利用者に入力させるようにすれば、監視センタ員は、トランク室が利用されている間でも拘束されなくなる。しかしながら、トランク室を利用する者に対して暗証番号を知らせることになるので、１回でもトランク室を利用した者は、暗証番号が変更されない限り、申請しなくてもトランク室を不正に利用することが可能になってしまう。
【０００８】
本発明は、監視センタ員を拘束することなく、また機密性を損なわずにエレベーターのトランク室の解錠・施錠を行わせることを目的とする。
【課題を解決するための手段】
【０００９】
本発明に係るエレベータートランク錠制御装置は、エレベーターのかご室拡張用のトランク室に取り付けられたトランク錠の管理者により設定された暗証情報を記憶する暗証情報記憶手段と、前記トランク錠の開閉を行うことで解錠・施錠を行うトランク錠開閉機構と、トランク室の利用者により解錠又は施錠のために入力された暗証情報を受け付ける受付手段と、前記暗証情報記憶手段に記憶された暗証情報と、前記受付手段により受け付けられた入力暗証情報と、を照合する照合手段と、前記照合手段による照合の結果、入力暗証情報の正当性が確認された場合に前記トランク錠開閉機構に解錠又は施錠させる制御手段と、前記トランク錠開閉機構により施錠された場合に前記暗証情報記憶手段に記憶されている暗証情報を消去する消去手段と、を有するものである。
【００１０】
また、前記トランク錠開閉機構により解錠されてから所定時間経過しても施錠されていない場合にトランク錠管理者へ通報する通報手段を有するものである。
【００１１】
本発明に係るエレベータートランク室解錠・施錠制御方法は、エレベーターのかご室拡張用のトランク室に取り付けられたトランク錠の開閉を行うことで解錠・施錠を行うトランク錠開閉機構の制御を行う制御装置により実施され、トランク錠の管理者により設定された暗証情報を受信し暗証情報記憶手段に登録する暗証情報取得ステップと、トランク室の利用者により解錠のために入力された暗証情報を受け付ける第１の受付ステップと、前記暗証情報記憶手段に記憶された暗証情報と、前記第１の受付ステップにより受け付けられた入力暗証情報と、を照合する第１の照合ステップと、前記第１の照合ステップにより入力暗証情報の正当性が確認された場合に、前記トランク錠開閉機構に解錠させる解錠ステップと、トランク室の利用者により施錠のために入力された暗証情報を受け付ける第２の受付ステップと、前記暗証情報記憶手段に記憶された暗証情報と、前記第２の受付ステップにより受け付けられた入力暗証情報と、を照合する第２の照合ステップと、前記第２の照合ステップにより入力暗証情報の正当性が確認された場合に、前記トランク錠開閉機構に施錠させる施錠ステップと、施錠された場合に前記暗証情報記憶手段に記憶されている暗証情報を消去する消去ステップと、を含むものである。
【００１２】
本発明に係るエレベータートランク室解錠・施錠制御システムは、錠が付けられたトランク室付きエレベーターを遠隔監視する監視センタに設置され、トランク室の利用申請に応じてトランク錠の管理者により設定された暗証情報を前記エレベーターが設置された建造物側へ送信する暗証情報送信手段と、前記建造物側には、前記トランク錠の開閉を行うことで解錠・施錠を行うトランク錠開閉機構と、前記遠隔監視装置から送られてくる暗証情報を受信し、暗証情報記憶手段に登録する暗証情報受信手段と、前記エレベーターのかご室内に設けられたかご操作盤からトランク室利用者により入力された暗証情報を受け付ける受付手段と、前記暗証情報記憶手段に記憶された暗証情報と、前記受付手段により受け付けられた入力暗証情報と、を照合する照合手段と、前記照合手段による照合の結果、入力暗証情報の正当性が確認された場合に前記トランク錠開閉機構に解錠又は施錠させる制御手段と、前記トランク錠開閉機構により施錠された場合に前記暗証情報記憶手段に記憶されている暗証情報を消去する消去手段と、を有するものである。
【発明の効果】
【００１３】
本発明によれば、トランク室の解錠・施錠に必要な暗証情報を事前に設定しておき、利用者により入力された暗証情報を事前に設定しておいた暗証情報と照合することによってトランク室の解錠・施錠を行えるようにしたので、監視センタ員を拘束することなくトランク室を利用させることができる。また、固定的な暗証情報を用いずに、一連の解錠及び施錠のみ有効に使用できる暗証情報を用いるようにしたので、暗証情報の機密性を維持することができる。
【発明を実施するための最良の形態】
【００１４】
以下、図面に基づいて、本発明の好適な実施の形態について説明する。
【００１５】
図１は、本発明に係るエレベータートランク室解錠・施錠制御システムの一実施の形態を示した全体構成図である。図１には、エレベーターの監視を行う監視センタ１に設置された遠隔監視装置１０と、ビル等の建造物２に設置されたエレベーターのエレベーター制御盤２１とがネットワーク３を介して接続された構成が示されている。更に、図１には、監視対象のエレベーターのかご室２２と、かご室２２に設けられ、利用者が行き先指定等を行うためのかご操作盤２３と、かご室２２に大きな荷物を載せるために併設されたトランク室２４と、電気錠であるトランク錠を開閉するトランク解錠・施錠装置２５とが示されている。エレベーター制御盤２１には、かご操作盤２３及びトランク解錠・施錠装置２５が接続されている。
【００１６】
遠隔監視装置１０は、ネットワーク３を介して各建造物２に設置されたエレベーター制御盤２１とデータ交換を行いながらエレベーター装置の監視を行うコンピュータである。そして、エレベーター制御盤２１は、エレベーターかごの運行制御等を行うが、運行の際にエレベーターの異常を検知した場合、また定期的なレポート報告等の通知すべき情報を遠隔監視装置１０へ送信する。エレベーター制御盤２１はまた、かご操作盤２３からの送信信号を受信することで、利用者による操作内容を認識する。更に、エレベーター制御盤２１は、トランク解錠・施錠装置２５に指示信号を送信することで、解錠又は施錠させる。
【００１７】
本実施の形態は、エレベーター制御盤２１における制御内容が従前と異なり、エレベーター制御盤２１及びかご室２２を含むエレベーター装置の設備自体は従前と同じでよいので、建造物２には、エレベーター制御盤２１と１台のかご室２２のみを図示した。また、監視センタ１は、複数の建造物２に設置された１又は複数台のエレベーター装置の監視を行うが、図１には１箇所の建造物２のみ図示した。また、監視センタ１には、便宜的に１台の遠隔監視装置１０のみ図示したが、従前と同じハードウェア構成にて実現することができる。
【００１８】
図２は、本実施の形態におけるエレベータートランク室解錠・施錠制御システムのブロック構成図である。
【００１９】
遠隔監視装置１０は、暗証番号生成部１１、暗証番号送信部１２及びトランク錠状態監視部１３を有している。暗証番号生成部１１は、監視センタ員による操作指示に従って暗証情報として暗証番号を生成する。暗証番号送信部１２は、暗証番号生成部１１により生成された暗証番号を、該当するエレベーター制御盤２１へ送信する。トランク錠状態監視部１３は、トランク錠が解錠されてから所定時間経過しても施錠されていないことを検知したエレベーター制御盤２１からの当該旨の通報を受信することによってトランク錠の状態を監視する。
【００２０】
一方、エレベーター制御盤２１は、暗証番号受信部３１、操作受付部３２、照合部３３、消去部３４、通報部３５、全体制御部３６、暗証番号記憶部３７及び入力番号記憶部３８を有している。暗証番号受信部３１は、遠隔監視装置１０から送られてくる暗証番号を受信し、暗証番号記憶部３７に登録する。操作受付部３２は、かご操作盤２３に対する操作内容を受け付けるが、トランク室利用者により暗証番号が入力された場合には、その入力された暗証番号を入力番号記憶部３８に保存する。照合部３３は、暗証番号記憶部３７及び入力番号記憶部３８それぞれに記憶された暗証番号を照合する。消去部３４は、全体制御部３６からの指示に応じて暗証番号記憶部３７及び入力番号記憶部３８それぞれに記憶された暗証番号を消去する。なお、全体制御部３６は、トランク解錠・施錠装置２５により施錠された場合に消去部３４に消去を指示する。通報部３５は、トランク解錠・施錠装置２５によりにより解錠されてから所定時間経過しても施錠されていない場合にその旨を表す情報をトランク錠状態監視部１３へ送信することで、トランク錠管理者へ通報する。全体制御部３６は、エレベーター制御盤２１における全体制御を行う。全体制御部３６に含まれる解錠・施錠部３９は、照合部３３による照合の結果、暗証番号が一致したことによって入力番号記憶部３８に記憶された暗証番号（入力暗証情報）の正当性が確認された場合にトランク解錠・施錠装置２５に解錠又は施錠させる。
【００２１】
なお、エレベーター制御盤２１には、プロセッサ、ＲＯＭ、ＲＡＭ、入力手段、表示手段、ネットワークコントローラ等後述する処理の実施に必要な構成が搭載されており、前述した構成要素３１〜３６は、エレベーター制御盤２１に搭載されたプロセッサで動作するプログラムとの協調動作により実現される。また、各記憶部３７，３８は、ＲＡＭ等の記憶装置にて実現される。
【００２２】
また、上記プログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがインストールプログラムを順次実行することで各種処理が実現される。
【００２３】
次に、本実施の形態におけるトランク室２４を移用する際に行われる解錠及び施錠動作について、図３に示したフローチャートを用いて説明する。
【００２４】
トランク室２４を利用したい者は、監視センタ１に利用の申請を行い事前に利用の許可を得ることになる。監視センタ員は、トランク室２４の利用申請に応じてトランク室２４が設けられたエレベーターの制御を行うエレベーター制御盤２１を特定しうる情報と、当該トランク室用の暗証番号の生成指示を遠隔監視装置１０に入力する。
【００２５】
暗証番号生成部１１は、監視センタ員による操作指示に従って暗証番号を生成する。暗証番号送信部１２は、暗証番号生成部１１により生成された暗証番号を、監視センタ員による入力から特定できるエレベーター制御盤２１へ送信する。エレベーター制御盤２１において、暗証番号受信部３１は、遠隔監視装置１０から送られてくる暗証番号を受信すると、その暗証番号を暗証番号記憶部３７に登録する（ステップ１０１）。
【００２６】
監視センタ員は、暗証番号生成部１１により生成された暗証番号と、その暗証番号の入力等かご操作盤２３の操作方法を利用申請者に伝える。
【００２７】
なお、本実施の形態では、暗証番号生成部１１が暗証番号を自動生成し、監視センタ員は、遠隔監視装置１０の図示しないディスプレイに表示された暗証番号を利用申請者に電話あるいは電子メール等のコミュニケーションツールを利用して伝えるようにしたが、監視センタ員が自ら考えた暗証番号を遠隔監視装置１０から手入力して、暗証番号送信部１２に送信させるようにしてもよい。
【００２８】
以上のようにして、トランク室２４の利用の準備が終了すると、監視センタ員は、利用申請されたトランク室２４の解錠又は施錠から解放されることになる。つまり、後述する処理から明らかになるようにトランク室利用者と連絡を取り合う必要がないため、トランク室２４の利用中に拘束されることはない。
【００２９】
暗証番号記憶部３７に暗証番号が記憶されることにより、利用申請者（トランク利用者）はトランク室２４の利用が可能となる。従って、トランク利用者は、利用申請した期間内若しくは許可された終期までにかご室２２に乗り込み、かご操作盤２３に対して監視センタ員から伝えられた操作方法に従って所定の操作を行い、監視センタ員から伝えられた暗証番号を解錠のためにかご操作盤２３から入力する。
【００３０】
以上のようにトランク室利用者によって解錠のために必要な操作が入力されると（ステップ１０２でＹ）、操作受付部３２は、入力された暗証番号を受け付け、入力番号記憶部３８に登録する（ステップ１０３）。操作受付部３２が暗証番号を受け付けると、照合部３３は、暗証番号記憶部３７及び入力番号記憶部３８それぞれに記憶された暗証番号を読み出して照合する（ステップ１０４）。ここで、照合した結果、入力暗証番号が暗証番号記憶部３７に記憶された暗証番号と一致しなければ（ステップ１０５でＮ）、音声出力又はかご操作盤２３への画面表示等によってトランク室利用者に暗証番号の不一致を通知すると共に暗証番号の再入力を促す。
【００３１】
一方、入力暗証番号が暗証番号記憶部３７に記憶された暗証番号と一致したことによって入力暗証情報の正当性が確認された場合（ステップ１０５でＹ）、解錠・施錠部３９は、トランク解錠・施錠装置２５に解錠させる。また、全体制御部３６は、解錠されたことに伴ってエレベーター制御盤２１の内部に保持する計時手段（タイマ）によるタイムカウントをスタートさせる（ステップ１０６）。
【００３２】
解錠されたことにより、トランク室利用者は、トランク室２４の利用を開始する。そして、利用が終了すると、所定の操作を行って施錠することになる。本実施の形態の場合、施錠は、基本的には解錠と同様の操作を行えばよいことにした。すなわち、トランク室利用者は、監視センタ員から伝えられた操作方法に従って、監視センタ員から伝えられた暗証番号を施錠のためにかご操作盤２３から入力する。
【００３３】
トランク室利用者によって施錠のために必要な操作が入力されると（ステップ１０８でＹ）、操作受付部３２は、入力された暗証番号を受け付け、入力番号記憶部３８に登録する（ステップ１０９）。操作受付部３２が暗証番号を受け付けると、照合部３３は、暗証番号記憶部３７及び入力番号記憶部３８それぞれに記憶された暗証番号を読み出して照合する（ステップ１１０）。ここで、照合した結果、入力暗証番号が暗証番号記憶部３７に記憶された暗証番号と一致しなければ（ステップ１１１でＮ）、音声出力又はかご操作盤２３への画面表示等によってトランク室利用者に暗証番号の不一致を通知すると共に暗証番号の再入力を促す。
【００３４】
一方、入力暗証番号が暗証番号記憶部３７に記憶された暗証番号と一致したことによって入力暗証情報の正当性が確認された場合（ステップ１１１でＹ）、解錠・施錠部３９は、トランク解錠・施錠装置２５に施錠させる（ステップ１１２）。
【００３５】
以上の施錠が正常に終了したことを検知すると、全体制御部３６は、消去部３４に消去指示を出し、消去部３４は、全体制御部３６からの指示に応じて暗証番号記憶部３７及び入力番号記憶部３８それぞれに記憶された暗証番号を消去する（ステップ１１３）。
【００３６】
ところで、解錠された後、トランク室利用者によって施錠のために必要な操作が所定時間経過しても入力されなかった場合（ステップ１０７でＹ）、より正確には所定時間経過するまでに正しい暗証番号の入力が確認できなかった場合、全体制御部３６は、タイムアウトが発生したとしてこの旨の通報指示を通報部３５に出す。通報部３５は、この指示に応じて、利用されたトランク室２４が施錠されていない旨を遠隔監視装置１０に通報する（ステップ１１４）。その後、消去部３４は、全体制御部３６からの指示に応じて暗証番号記憶部３７及び入力番号記憶部３８それぞれに記憶された暗証番号を消去する（ステップ１１３）。
【００３７】
遠隔監視装置１０におけるトランク錠状態監視部１３は、エレベーター制御盤２１からの当該旨の通報を受信することによってトランク錠が施錠されていないことを認識すると、保守員に自動的にメッセージ送信をしたり、あるいは遠隔監視装置１０のディスプレイに表示して監視センタ員にトランク室利用者又は保守員に連絡させたりする。このようにして、トランク室２４が解錠された状態のまま放置されることを防止することができる。なお、タイマにセットする所定時間というのは、トランク利用者がトランク室２４を利用したものの、その後に施錠を行うことを忘れたなどを理由にトランク室２４が施錠されていない状態であると判断できる時間である。例えば、かご室２２及びトランク室２４に積載可能な荷物の容量や建造物２の階数等を基準に監視センタ１側によって任意に設定することができる。
【００３８】
本実施の形態によれば、以上のようにしてトランク室２４の利用中でも監視センタ員を拘束することなく、また機密性を損なわずにエレベーターのトランク室２４の解錠・施錠を行わせることができる。
【００３９】
ところで、ステップ１１３において実施する各記憶部３７，３８に記憶された暗証番号の消去を行わないとすると、例えば、今回トランク室２４を利用した者は、次にトランク室２４の利用申請がされ、新たな暗証番号によって暗証番号記憶部３７の登録内容が更新されるまでの間、トランク室２４を利用し続けることが可能になってしまう。また、不正に利用しようとする者に各記憶部３７，３８から暗証番号を読み取る機会を与えてしまう。従って、本実施の形態では、機密性遵守の確実性を高めるためにトランク室２４の利用が終了した時点で暗証番号を消去するようにした。少なくとも暗証番号記憶部３７の記憶内容は、トランス錠管理者によって正規に発行された暗証番号が記憶されているので消去する必要がある。本実施の形態では、このようにして、一連の解錠及び施錠にのみ有効に使用できる暗証番号を用いてトランス錠の開閉を行わせることができる。
【００４０】
なお、本実施の形態では、これは、かご操作盤２３の行き先（階）ボタンを利用することを想定して、暗証情報として暗証番号を用いるようにした。ただ、暗証情報として番号に限定する必要はなく、例えば、あるボタンを指定回数押下した後、他のボタンを指定回数押下するなど、ボタンに対する一連の操作手順を暗証情報として設定してもよい。
【００４１】
また、本実施の形態では、トランク室２４の利用終了後に各記憶部３７，３８から暗証番号を消去することで、一連の解錠及び施錠のみ有効な暗証番号を用いることができるようにしたが、トランク室２４の解錠及び施錠それぞれに別個の暗証番号を設定するようにしてもよい。つまり、一連の解錠及び施錠のみ有効な暗証番号ではなく解錠及び施錠それぞれに専用の暗証番号を設定する。この場合、監視センタ員を拘束しないことを考慮すると、トランク室２４の利用開始時に両方の暗証番号を暗証番号記憶部３７に登録すると共にトランク利用者に伝えておく。そして、トランク室２４が解錠された時点で解錠用の暗証番号を暗証番号記憶部３７から消去し、トランク室２４が施錠された時点で施錠用の暗証番号を暗証番号記憶部３７から消去するようにすれば、機密性を更に向上させることができる。
【００４２】
なお、本発明は、かご室２２を拡張するトランク室２４の解錠・施錠のために発生する課題を解決するためになされたものである。ただ、トランク室２４と同様に解錠・施錠を行う必要が生じてきた場合、本発明は、そのような場合にも適用することは可能である。
【図面の簡単な説明】
【００４３】
【図１】本発明に係るエレベータートランク室解錠・施錠制御システムの一実施の形態を示した全体構成図である。
【図２】本実施の形態におけるエレベータートランク室解錠・施錠制御システムのブロック構成図である。
【図３】本実施の形態におけるトランク室を移用する際に行われる解錠及び施錠処理を示したフローチャートである。
【符号の説明】
【００４４】
１  監視センタ、２  建造物、３  ネットワーク、１０  遠隔監視装置、１１  暗証番号生成部、１２  暗証番号送信部、１３  トランク錠状態監視部、２１  エレベーター制御盤、２２  かご室、２３  かご操作盤、２４  トランク室、２５  トランク解錠・施錠装置、３１  暗証番号受信部、３２  操作受付部、３３  照合部、３４  消去部、３５  通報部、３６  全体制御部、３７  暗証番号記憶部、３８  入力番号記憶部、３９  解錠・施錠部。
【図１】
2008273732.tif 000003
【図２】
2008273732.tif 000004
【図３】
2008273732.tif 000005